(57)【要約】【課題】  撮像動作或いは圧縮率の調整を容易にする。【解決手段】  被写体を撮像し、動画像信号を生成する撮像部１１０と、動画像信号を高能率符号化し、圧縮信号に変換する圧縮符号化部１１２と、圧縮信号を記録媒体に記録する記録部１１４と、圧縮信号を復号化し、復号映像信号を生成する圧縮復号化部１１８と、撮像部１１０からの動画像信号と、圧縮復号化部１１８からの復号映像信号とから当該復号映像信号の劣化の程度を検出する劣化検出部１２０と、検出された劣化の程度に応じて、新たに撮像される動画像に対する撮像動作或いは圧縮率を調整する自動調整部１２４とを有する。【選択図】  図１
2007135249.tif 000002
【特許請求の範囲】
【請求項１】
被写体を撮像し、動画像信号を生成する撮像部と、
当該動画像信号を高能率符号化し、圧縮信号に変換する圧縮符号化部と、
当該圧縮信号を記録媒体に記録する記録部と、
当該圧縮信号を復号化し、復号映像信号を生成する圧縮復号化部と、
当該圧縮符号化部と当該圧縮復号化部がともに動作する状態において、当該撮像部からの動画像信号と、当該撮像部からの動画像信号について当該圧縮符号化部及び当該圧縮復号化部により得られる復号映像信号とから当該復号映像信号の劣化の程度を検出する劣化検出部と、
当該劣化検出部によって検出された当該復号映像信号の劣化の程度に応じて、前記撮像部において新たに撮像される動画像信号の撮像動作に係る制御信号を生成する撮像調整部
とを有することを特徴とする撮像装置。
【請求項２】
被写体を撮像し、動画像信号を生成する撮像部と、
当該動画像信号を高能率符号化し、圧縮信号に変換する圧縮符号化部と、
当該圧縮信号を記録媒体に記録する記録部と、
当該圧縮信号を復号化し、復号映像信号を生成する圧縮復号化部と、
当該圧縮符号化部と当該圧縮復号化部がともに動作する状態において、当該撮像部からの動画像信号と、当該撮像部からの動画像信号について当該圧縮符号化部及び当該圧縮復号化部により得られる復号映像信号とから当該復号映像信号の劣化の程度を検出する劣化検出部と、
当該劣化検出部によって検出された当該復号映像信号の劣化の程度に応じて、前記撮像部において新たに撮像された動画像信号を高能率符号化する前記圧縮符号化部に対する圧縮率制御信号を生成する圧縮率調整部
とを有することを特徴とする撮像装置。
【発明の詳細な説明】
【技術分野】
【０００１】
本発明は、映像を記録媒体に記録する撮像装置に関する。
【背景技術】
【０００２】
近年、デジタル信号処理技術の進歩により、動画像、静止画像及び音声等の大量のデジタル情報を高能率符号化してデータ量を圧縮し、小型磁気媒体への記録及び／又は通信媒体への伝送を行うことが可能となっている。このような技術を応用し、高品位な映像を撮影し、即座に情報媒体へ出力できる撮像装置の開発が行われている。
【０００３】
これらの機器には、限られた情報媒体の容量を有効に利用できるように、ユーザの指示によって圧縮の割合（圧縮率）を変更できる機能を有するものがある。この機能により、ユーザは圧縮率を高く設定して記録時間を増やしたり、反対に圧縮率を下げて劣化が少ない画質を優先した撮影を行ったりすることが可能である。ユーザは、ファインダ内の画像の劣化具合を見ながら、好ましい圧縮率を調整して撮影することができる。
【０００４】
図６は、従来の撮像装置の概略構成ブロック図を示す。２１０は撮像部、２１２は圧縮符号化部、２１４は記録部、２１６は撮像調整操作部、２１８は圧縮復号化部、２２０は表示部、２２２は圧縮率調整操作部である。
【０００５】
まず、撮像部２１０は被写体を撮像して撮影映像信号を生成し、圧縮符号化部２１２に供給する。圧縮符号化部２１２は、高能率符号化処理により撮影映像信号をデータ圧縮し、圧縮信号を記録部２１４と圧縮復号化部２１８に供給する。記録部２１４は、供給される圧縮信号を磁気媒体などの記録媒体に記録する。圧縮復号化部２１８は、圧縮符号化部２１２から入力する圧縮信号に対し、圧縮符号化部２１２での高能率符号化処理の逆変換処理を施して復号映像信号を生成し、表示部２２０に印加する。これにより、表示部２２０の液晶パネルに撮像部２１０に入力する被写体の画像が表示される。
【０００６】
撮影者は、表示部２２０の表示を見ながら撮像調整操作部２１６を操作（ＯＰ＿ａ）してフォーカス等のレンズ位置を調整するとともに、さらに、圧縮調整操作部２２２を操作（ＯＰ＿ｂ）して、圧縮符号化部２１２の圧縮率を調整することができる。撮像部２１０は、撮像調整操作部２１６から供給される制御信号に従って、レンズ位置を変更する。圧縮符号化部２１２は、圧縮調整操作部２２２から供給される制御信号に従って、圧縮率を変更する。
【発明の開示】
【発明が解決しようとする課題】
【０００７】
従来例では、撮像部の操作に加えて生じる圧縮率の調整操作が煩わく、ユーザが容易に操作を習得できなかった。また、所望の状態に調整できているか否かを小さなファインダ画面の画像から判断するのが難しく、適切な調整が困難であった。
【０００８】
本発明は、上記問題点を鑑みてなされたものであり、圧縮され復号された映像信号の劣化の程度に応じて自動的に撮像動作或いは圧縮率の調整が可能となる撮像装置を提供することを目的とする。
【課題を解決するための手段】
【０００９】
本発明に係る撮像装置は、被写体を撮像し、動画像信号を生成する撮像部と、当該動画像信号を高能率符号化し、圧縮信号に変換する圧縮符号化部と、当該圧縮信号を記録媒体に記録する記録部と、当該圧縮信号を復号化し、復号映像信号を生成する圧縮復号化部と、当該圧縮符号化部と当該圧縮復号化部がともに動作する状態において、当該撮像部からの動画像信号と、当該撮像部からの動画像信号について当該圧縮符号化部及び当該圧縮復号化部により得られる復号映像信号とから当該復号映像信号の劣化の程度を検出する劣化検出部と、当該劣化検出部によって検出された当該復号映像信号の劣化の程度に応じて、前記撮像部において新たに撮像される動画像信号の撮像動作に係る制御信号を生成する撮像調整部とを有することを特徴とする。
【００１０】
本発明に係る撮像装置は、被写体を撮像し、動画像信号を生成する撮像部と、当該動画像信号を高能率符号化し、圧縮信号に変換する圧縮符号化部と、当該圧縮信号を記録媒体に記録する記録部と、当該圧縮信号を復号化し、復号映像信号を生成する圧縮復号化部と、当該圧縮符号化部と当該圧縮復号化部がともに動作する状態において、当該撮像部からの動画像信号と、当該撮像部からの動画像信号について当該圧縮符号化部及び当該圧縮復号化部により得られる復号映像信号とから当該復号映像信号の劣化の程度を検出する劣化検出部と、当該劣化検出部によって検出された当該復号映像信号の劣化の程度に応じて、前記撮像部において新たに撮像された動画像信号を高能率符号化する前記圧縮符号化部に対する圧縮率制御信号を生成する圧縮率調整部とを有することを特徴とする。
【発明の効果】
【００１１】
本発明によれば、圧縮され復号された映像信号の劣化の程度に応じて自動的に撮像動作或いは圧縮率の調整が可能となる撮像装置を実現することができる。
【発明を実施するための最良の形態】
【００１２】
以下、図面を参照して、本発明の実施例を詳細に説明する。
【実施例１】
【００１３】
図１は、本発明の第１実施例の概略構成ブロック図を示す。本実施形態の撮像装置は、撮像して得た動画を記録媒体に記録できる。１０は撮像部、１２は圧縮符号化部、１４は記録部、１６は調整操作部、１８は圧縮復号化部、２０は劣化検出部、２２は表示部である。
【００１４】
本実施例の動作を説明する。撮像部１０は被写体を撮像して撮影映像信号を生成し、圧縮符号化部１２に供給する。圧縮符号化部１２は、高能率符号化処理により撮影映像信号をデータ圧縮し、圧縮信号を記録部１４と圧縮復号化部１８に供給する。記録部１４は、圧縮符号化部１２から供給される圧縮信号を磁気媒体などの記録媒体に記録する。
【００１５】
圧縮復号化部１８は、圧縮符号化部１２からの圧縮信号に対し、圧縮符号化部１２での高能率符号化処理の逆変換処理を施して復号映像信号を生成し、表示部２２に出力する。劣化検出部２０は、撮像部１０から撮影映像信号と、圧縮復号化部１８からの復号映像信号とから、復号映像信号の劣化を検出する。本実施例では、劣化検出部２０は、復号映像信号の撮影映像信号に対するＳ／Ｎ比を劣化の指標として算出する。その算出値は、表示部２２に供給される。表示部２２は、圧縮復号化部１８から供給される映像信号に劣化検出部２０の検出値に応じた図形を重ねて、液晶パネルに画像として表示する。
【００１６】
図２は、表示部２２の表示例を示す。３０は映像表示、３２，３４は劣化指標表示である。表示３２は、劣化検出部２０から供給されるＳ／Ｎ比に比例する長さの棒グラフからなる。棒グラフの長さＬｅｎは、画質劣化が少ないほど長くなる。より単純な表示例として、表示３４では、Ｓ／Ｎ比をそのまま数値（４２ｄＢ）として表示している。
【００１７】
図３は、表示部２２の別の表示例を示す。３６は映像表示、３８は劣化指標表示である。表示３８は、劣化検出部２０から供給されるＳ／Ｎ比に応じて表情を変えるキャラクタパターンからなる。画質劣化が少ないほど、キャラクタの表情は笑顔になり、画質劣化が多いほど表情は泣き顔に変化する。更に、キャラクタパターンの色をＳ／Ｎ比に応じて変化させることで、撮影者により判りやすくすることができる。
【００１８】
撮影者は、これらの表示を見ながら調整操作部１６を操作し、随時、好ましい圧縮率に調整しながら撮影することができる。調整操作部１６は、撮影者の操作ＯＰ１に従う圧縮率制御信号を圧縮符号化部１２に供給する。圧縮符号化部１２は、供給される制御信号に対応する圧縮率で撮像部１０からの撮影映像信号を高能率符号化する。例えば、ＭＰＥＧ方式の動画像圧縮における固定ビットレート（ＣＢＲ）を３Ｍｂｐｓから４Ｍｂｐｓに増やしたり、可変ビットレート（ＶＢＲ）の平均値を６Ｍｂｐｓから５Ｍｂｐｓに減らしたりすることで、圧縮率を制御する。
【００１９】
図４は、調整操作部１６の構成及び配置の一例を示す斜視図である。ダイヤル４０が、調整操作部１６の一要素となる。ダイヤル４０はレンズの周囲に配置され、撮影の光軸に直交する面で回転するリングからなる。ダイヤル４０を左右に回すことにより、圧縮符号化部１２に供給する制御信号を変化させることができる。例えば、右に回すことで圧縮率を高く、左に回すことで圧縮率を低く制御する信号が、圧縮符号化回路１２に印加される。撮影者は、重要性の高い状況の撮影時に、表示３８が泣き顔のパターンであるときには、ダイヤル４０を左に所望量回すことで圧縮率を低くするよう指示できる。圧縮率の制御に伴って画質劣化は減少し、表示３８は泣き顔から笑顔へと変化する。
【００２０】
ところで、ダイヤル４０に急激な回転操作を行った場合、画像の圧縮率が急激に変化して、視覚的に不快なほど急激な画質変化を生じさせることがある。そのような場合に対処する構成として、急激な変化を緩衝するように、操作速度に応じて制御を遅延させるような遅延回路を追加しても良い。
【００２１】
また、本実施例では、調整操作部１６は、撮像部１０のレンズ位置の調整部材を兼ねている。図４で説明すると、ボタン４２を押しながらダイヤル４０を左右に回すことで、調整操作部１６は、レンズ位置制御信号を撮像部１０に供給する。撮像部１０は、供給される制御信号に対応するレンズ位置にレンズを移動する。ボタン４２を押さずにダイヤル４０を回す場合、調整操作部１６は、上述のように圧縮率制御信号を圧縮符号化部１２へ供給する。
【００２２】
レンズ位置の調整は、フォーカスの調整等に使用される。すなわち、圧縮率とフォーカスという共に画質の微妙な調整を、本実施例では共通の操作部１６によって制御できる。これは、ユーザにとって直観的で簡単な操作であり、習得が容易である。
【００２３】
なお、図４に示すダイヤル４４のように、レンズ周囲ではなく撮像装置背面に配置され、光軸と平行な面内を回転する調整操作部によっても、撮像部調整と圧縮率調整を兼用する操作部材として使用できる。調整操作部１６は、ダイヤルに限らず、ジョグダイヤル及びシーソー式の操作部であっても、同様に実現可能である。
【実施例２】
【００２４】
図５は、本発明の第２実施例の概略構成ブロック図を示す。１１０は撮像部、１１２は圧縮符号化部、１１４は記録部、１１６は調整操作部、１１８は圧縮復号化部、１２０は劣化検出部、１２２は表示部、１２４は自動調整部、１２６，１２８は切り替え部である。
【００２５】
撮像部１１０、圧縮符号化部１１２、記録部１１４、調整操作部１１６、圧縮復号化部１１８、劣化検出部１２０及び表示部１２２の機能は、それぞれ、第１実施例の撮像部１０、圧縮符号化部１２、記録部１４、調整操作部１６、圧縮復号化部１８、劣化検出部２０及び表示部２２の機能と同じであるので、詳細な説明を省略し、追加された自動調整部１２４及び切り替え部１２６，１２８の動作を主に説明する。
【００２６】
自動調整部１２４には、撮像部１１０から撮影映像信号が入力し、劣化検出部１２０から検出値が入力する。自動調整部１２４は、これらの入力信号に従って自動的にレンズ位置制御信号と圧縮率制御信号を生成し、それぞれ切り替え部１２６，１２８へ供給する。これらの自動調整は、既知のフィードバック制御で実現される。
【００２７】
切り替え部１２６は、調整操作部１１６と自動調整部１２４から供給されるレンズ位置制御信号から、撮影者の操作ＯＰ２に従っていずれか一方を選択し、撮像部１１０に供給する。同様に、切り替え部１２８は、調整操作部１１６と自動調整部１２４から供給される圧縮率制御信号から撮影者の操作ＯＰ２に従っていずれか一方を選択し、圧縮符号化部１１２に供給する。切り替え部１２６，１２８はともに、操作ＯＰ２によって連動して切り替わる。
【００２８】
撮影者は、フォーカス及び圧縮率などの制御を自動調整部１２４に任せてフルオート撮影する場合と、手動によって細かく調整しながらマニュアル撮影する場合とを、操作ＯＰ２によってまとめて切り替えることができる。同様に、撮像部１１０の絞り制御なども一括して切り替えることができる。
【００２９】
（他の実施例）
【００３０】
本発明は、複数の機器（例えばホストコンピュータ、インタフェース機器及びカメラなど）から構成されるシステムに適用しても、一つの機器からなる装置に適用してもよい。
【００３１】
本発明の目的は、上述した実施例の機能を実現するソフトウエアのプログラムコードを記録した記憶媒体（または記録媒体）を、システム又は装置に供給し、そのシステム又は装置のコンピュータ（若しくはＣＰＵ又はＭＰＵ）が記憶媒体に格納されたプログラムコードを読み出し実行することによっても、達成されることは言うまでもない。この場合、記憶媒体から読み出されたプログラムコード自体が上述した実施例の機能を実現することになり、そのプログラムコードを記憶した記憶媒体は、本発明を構成することになる。
【００３２】
コンピュータが読み出したプログラムコードを実行することにより、上述した実施例の機能が実現されるだけでなく、そのプログラムコードの指示に基づき、コンピュータ上で稼働しているオペレーティングシステム（ＯＳ）などが実際の処理の一部または全部を行い、その処理によって上述した実施例の機能が実現される場合も、本発明の技術的範囲に含まれる。
【００３３】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって上述した実施例の機能が実現される場合も、本発明の技術的範囲に含まれる。
【図面の簡単な説明】
【００３４】
【図１】本発明の第１実施例の概略構成ブロック図である。
【図２】第１実施例の表示画面例である。
【図３】第１実施例の別の表示画面例である。
【図４】調整操作部１６の構成及び配置例である。
【図５】本発明の第２実施例の概略構成ブロック図である。
【図６】従来例の概略構成ブロック図である。
【符号の説明】
【００３５】
１０：撮像部
１２：圧縮符号化部
１４：記録部
１６：調整操作部
１８：圧縮復号化部
２０：劣化検出部
２２：表示部
３０：映像表示
３２，３４：劣化指標表示
３６：映像表示
３８：劣化指標表示
４０：ダイヤル
４２：ボタン
４４：ダイヤル
１１０：撮像部
１１２：圧縮符号化部
１１４：記録部
１１６：調整操作部
１１８：圧縮復号化部
１２０：劣化検出部
１２２：表示部
１２４：自動調整部
１２６，１２８：切り替え部
２１０：撮像部
２１２：圧縮符号化部
２１４：記録部
２１６：撮像調整操作部
２１８：圧縮復号化部
２２０：表示部
２２２：圧縮率調整操作部
【図１】
2007135249.tif 000003
【図２】
2007135249.tif 000004
【図３】
2007135249.tif 000005
【図４】
2007135249.tif 000006
【図５】
2007135249.tif 000007
【図６】
2007135249.tif 000008